(57)【要約】【課題】自動車の音響や空調機器等の操作に用いられるスイッチ装置に関し、様々な使用状態においても、表示部の形状が維持され、表示を判別し易く視認性の良好なスイッチ装置を提供することを目的とする。【解決手段】操作体１２の表示部１２Ｄと不透光部１２Ｂを二色成形により一体形成すると共に、不透光部１２Ｂ上に表面部１２Ｃを重ねて設け、表示部１２Ｄとその外縁に所定幅の不透光部１２Ｂからなる輪郭部１２Ｅを表面部１２Ｃから露出させることによって、様々な使用状態においても、表示部１２Ｄの形状が維持されて、表示を判別し易く視認性が良好で、且つ操作体の製作が容易で安価なスイッチ装置を実現することができる。【選択図】図１
2012226851.tif 000002
【特許請求の範囲】
【請求項１】
略箱状で外側が不透光部に覆われると共に内側に透光部が設けられ、この透光部が前記不透光部から所定形状に露出した表示部を設けた操作体と、この操作体への操作によって電気的接離を行うスイッチ接点からなり、前記表示部と前記不透光部を二色成形により一体形成すると共に、前記不透光部上に表面部を重ねて設け、前記表示部とその外縁の所定幅の前記不透光部からなる輪郭部を前記表面部から露出させたスイッチ装置。
【発明の詳細な説明】
【技術分野】
【０００１】
本発明は、主に自動車の音響や空調機器等の操作に用いられるスイッチ装置に関するものである。
【背景技術】
【０００２】
近年、車室内のフロントパネル部やステアリングホイール部に、表示が照光する様々な操作体を備えた照光式のスイッチ装置を配置し、これらによってオーディオやエアコン等の各種電子機器の操作を行うものが増えている。
【０００３】
このような従来のスイッチ装置について、図４及び図５を用いて説明する。
【０００４】
なお、これらの図面は構成を判り易くするために、部分的に寸法を拡大して表している。
【０００５】
図４は従来のスイッチ装置の断面図、図５は同操作体の平面図であり、同図において、１は絶縁樹脂製のケース、２は同じく絶縁樹脂製で略箱状の操作体で、ケース１には上方へ突出する中空筒部１Ａが設けられ、この中空筒部１Ａ外周に操作体２が上下動可能に装着されている。
【０００６】
そして、操作体２の白色等の透光部２Ａの上面は、黒色等の塗装膜で厚みが約２０μｍの不透光部２Ｂに覆われると共に、この不透光部２Ｂの表面は、シルバー色やアイボリー色の比較的明るい色の塗装膜で厚みが約２０μｍの表面部２Ｃに覆われている。
【０００７】
また、２Ｄは文字や記号、図形等の所定の形状に透光部２Ａが不透光部２Ｂから露出した表示部で、表示部２Ｄの外縁には所定の幅で不透光部２Ｂが表面部２Ｃから露出した輪郭部２Ｅが形成されている。
【０００８】
なお、このような操作体２の表示部２Ｄや輪郭部２Ｅは、ベースとなる透光部２Ａの上面に不透光部２Ｂを塗装して乾燥した後、この不透光部２Ｂの表面に表面部２Ｃを塗装して乾燥し、次に、上方からレーザを照射して、例えば、表面部２Ｃと不透光部２Ｂの２層を所定形状除去し表示部２Ｄを形成した後、さらに、表示部２Ｄ外縁の表面部２Ｃを所定幅で除去して、不透光部２Ｂを露出させて輪郭部２Ｅを形成することにより設けられている。
【０００９】
そして、３は上下面に複数の導電パターン（図示せず）が形成された配線基板で、上面にはスイッチ接点としてのプッシュスイッチ４が実装され、このプッシュスイッチ４の上部の操作部に、操作体２下面から下方へ突出した押圧部２Ｆが当接している。
【００１０】
さらに、このプッシュスイッチ４側方には、発光ダーオード等の発光素子５が表示部２Ｄの略中央の下方に配設され、これらプッシュスイッチ４や発光素子５が実装された配線基板３上面をケース１が覆ってスイッチ装置が構成されている。
【００１１】
そして、このようなスイッチ装置は、車室内のフロントパネル部やステアリングホイール部に装着され、プッシュスイッチ４や発光素子５等が配線基板３を介して、オーディオやエアコン等の各種電子機器や、自動車の電子回路（図示せず）に電気的に接続される。
【００１２】
以上の構成において、操作体２を下方へ押圧操作すると、押圧部２Ｆがプッシュスイッチ４の操作部を押圧して、プッシュスイッチ４の電気的接離が行われ、例えば、オーディオの音量やエアコンの温度等の切換えが行われる。
【００１３】
また、夜間等の周囲が暗い場合には、発光素子５が発光し、この光が操作体２下方から透光部２Ａを照光して、文字や記号、図形等の表示部２Ｄが照光されるため、周囲が暗い場合でも、表示部２Ｄの表示や操作体２の位置確認が可能となり、操作体２の識別や操作を行うことができる。
【００１４】
さらに、日中の周囲が明るい場合には、白色等の表示部２Ｄの外縁を黒色等の輪郭部２Ｅで囲むことによって、例えば表示部２Ｄの白色に対しその周りの表面部２Ｃがシルバー色で似通った明るい色の場合にも、表示部２Ｄと表面部２Ｃとの境が輪郭部２Ｅにより明瞭になって、表示部２Ｄの表示が視認し易くなっている。
【００１５】
また、このように表示部２Ｄの周囲を塗装膜である不透光部２Ｂの輪郭部２Ｅで囲み、その周囲を同じく塗装膜である表面部２Ｃで覆った操作体２においては、長期間の操作体２上面への押圧操作や、例えば化粧品や洗浄剤などの塗装膜に影響を及ぼし易い溶剤成分や油成分が付着した状態での操作等により、輪郭部２Ｅやこの近傍の表面部２Ｃが部分的又は全体的に磨耗や剥離にして、表示部２Ｄの形状が不鮮明になり、表示部２Ｄの表示を判別し難く、視認性が低下する可能性があった。
【００１６】
なお、この出願の発明に関連する先行技術文献情報としては、例えば、特許文献１が知られている。
【先行技術文献】
【特許文献】
【００１７】
【特許文献１】特開２０００−３０５４９５号公報
【発明の概要】
【発明が解決しようとする課題】
【００１８】
しかしながら、上記従来のスイッチ装置においては、操作体２の透光部２Ａ上に塗装膜で重ねて形成された不透光部２Ｂと表面部２Ｃに、表示部２Ｄとその外縁に輪郭部２Ｅが各々露出して形成されているため、長期間の操作体２上面への押圧操作や塗装膜に影響を及ぼし易い溶剤成分や油成分が付着した状態での操作等によって、輪郭部２Ｅやこの近傍の表面部２Ｃが部分的又は全体的に磨耗や剥離して、表示部２Ｄの形状が不鮮明となり、表示部２Ｄの表示を判別し難く、視認性が低下する可能性があるという課題があった。
【００１９】
本発明は、このような従来の課題を解決するものであり、様々な使用状態においても、表示部の形状が維持され、表示を判別し易く視認性の良好なスイッチ装置を提供することを目的とする。
【課題を解決するための手段】
【００２０】
上記目的を達成するために本発明は、操作体の表示部と不透光部を二色成形により一体形成すると共に、不透光部上に表面部を重ねて設け、表示部とその外縁に所定幅の不透光部からなる輪郭部を表面部から露出させたものであり、表示部の透光部と輪郭部となる不透光部が二色成形により形成されているため、例えば、表示部と表面部が類似の明るい色で形成され、日中等の周囲が明るい場合でも、表示部外縁の輪郭部によって表示が視認し易く、様々な使用状態においても表示部の形状が維持されて、表示を判別し易く視認性の良好なスイッチ装置を得ることができるという作用を有する。
【発明の効果】
【００２１】
以上のように本発明によれば、日中の周囲が明るい場合に、表示を視認し易く、様々な使用状態においても、表示部自体の形状が維持されて、表示を判別し易く表示の視認性が良好なスイッチ装置を得ることができるという有利な効果が得られる。
【図面の簡単な説明】
【００２２】
【図１】本発明の一実施の形態によるスイッチ装置の断面図
【図２】同操作体の平面図
【図３】同他実施の形態による操作体の平面図
【図４】従来のスイッチ装置の断面図
【図５】同操作体の平面図
【発明を実施するための形態】
【００２３】
以下、本発明の実施の形態について、図１〜図３を用いて説明する。
【００２４】
なお、これらの図面は構成を判り易くするために、部分的に寸法を拡大して表している。
【００２５】
また、背景技術の項で説明した構成と同一構成の部分には同一符号を付して、詳細な説明を簡略化する。
【００２６】
（実施の形態）
図１は本発明の一実施の形態によるスイッチ装置の断面図、図２は同操作体の平面図であり、同図において、１はポリオキシメチレンやアクリロニトリルブタジエンスチレン共重合体（以降、ＡＢＳと記載する）等の絶縁樹脂製のケース、１２は略箱状の操作体で、ケース１には上方へ突出する中空筒部１Ａが設けられ、この中空筒部１Ａ外周に操作体１２が上下動可能に装着されている。
【００２７】
そして、操作体１２は内側に光透過性の白色等でポリカーボネートやＡＢＳ等の合成樹脂製の透光部１２Ａと、この透光部１２Ａの上面及び側面を覆うように、不透光性の黒色等でポリカーボネートやＡＢＳ等の合成樹脂製で厚みが０．８ｍｍ〜１．０ｍｍの不透光部１２Ｂが二色成形等によって形成されると共に、不透光部１２Ｂの外側にはシルバー色やアイボリー色等の比較的明るい色の塗装膜で厚みが約２０μｍの表面部１２Ｃに覆われている。
【００２８】
また、１２Ｄは操作体１２の上面に形成された表示部で、文字や記号、図形等の所定の形状に透光部２Ａが不透光部１２Ｂから同一面上に露出して形成され、表示部１２Ｄの外縁には例えば０．２ｍｍ〜０．３ｍｍの所定の幅で不透光部１２Ｂが表面部１２Ｃから露出した輪郭部１２Ｅが形成されている。
【００２９】
なお、操作体１２の輪郭部１２Ｅは、二色成形された透光部１２Ａと不透光部１２Ｂの表面に塗装された表面部１２Ｃを、上方からレーザを照射して、表示部１２Ｄとその外縁の輪郭部１２Ｅ分の所定の範囲を合せて除去して、表示部１２Ｄとその外縁に所定の幅の輪郭部１２Ｅが同一面上に形成される。
【００３０】
したがって、背景技術で説明したように、透光部の上面に不透光部と表面部の塗装膜を各々塗布と乾燥を繰り返して２層形成し、レーザ加工を２回行い表示部と輪郭部を形成して操作体を製作する場合に比べ、二色成形された透光部１２Ａと不透光部１２Ｂの上面に表面部１２Ｃの塗装膜を１層のみ塗布及び乾燥させて、その後、表示部１２Ｄに輪郭部１２Ｅを加えた範囲を１回のレーザ加工を行って操作体１２を製作できるため、二色成形に多少コストは要するが、製作が容易で安価な操作体にすることができる。
【００３１】
そして、３は上下面に複数の導電パターン（図示せず）が形成された配線基板で、上面にはスイッチ接点であるプッシュスイッチ４が実装され、このプッシュスイッチ４の上部の操作部に、操作体１２下面から下方へ突出した押圧部１２Ｆが当接している。
【００３２】
さらに、このプッシュスイッチ４側方には、発光ダーオード等の発光素子５が表示部１２Ｄの略中央の下方に配設され、これらプッシュスイッチ４や発光素子５が実装された配線基板３上面をケース１が覆ってスイッチ装置が構成されている。
【００３３】
そして、このようなスイッチ装置は、車室内のフロントパネル部やステアリングホイール部に装着され、プッシュスイッチ４や発光素子５等が配線基板３を介して、オーディオやエアコン等の各種電子機器や、自動車の電子回路（図示せず）に電気的に接続される。
【００３４】
以上の構成において、操作体１２を下方へ押圧操作すると、押圧部１２Ｆがプッシュスイッチ４の操作部を押圧して、プッシュスイッチ４の電気的接離が行われ、例えば、オーディオの音量やエアコンの温度等の切換えが行われる。
【００３５】
また、夜間等の周囲が暗い場合には、発光素子５が発光し、この光が操作体１２下方から透光部１２Ａを照光して、文字や記号、図形等の表示部１２Ｄが照光されるため、周囲が暗い場合でも、表示部１２Ｄの表示や操作体１２の位置確認が可能となり、操作体１２の識別や操作を行うことができる。
【００３６】
さらに、日中の周囲が明るい場合には、白色等の透光部１２Ａからなる表示部１２Ｄの外縁を黒色等の輪郭部１２Ｅで囲むことによって、例えば表示部１２Ｄの白色に対しその周りの表面部１２Ｃがシルバー色で似通った明るい色である場合、表示部１２Ｄと表面部１２Ｃとの境が輪郭部１２Ｅにより明瞭となるため、表示部１２Ｄの文字や記号等が視認し易くなっている。
【００３７】
なお、長期間の操作体１２上面への押圧操作や、例えば化粧品や洗浄剤などの塗装膜に影響を及ぼし易い溶剤成分や油成分が付着した状態での操作等により、輪郭部１２Ｅの外側の表面部１２Ｃが部分的又は全体的に磨耗や剥離する場合があるが、表示部１２Ｄは黒色等の合成樹脂製の不透光部１２Ｂの輪郭部１２Ｅに囲まれ二色成形で一体形成されているため、表示部１２Ｄの形状が維持されて、表示部１２Ｄの表示を判別する上では支障がなく、表示の視認性には影響がなく良好なものとなっている。
【００３８】
このように本実施の形態によれば、操作体１２の表示部１２Ｄと不透光部１２Ｂを二色成形により一体形成すると共に、不透光部１２Ｂ上に表面部１２Ｃを重ねて設け、表示部１２Ｄとその外縁に所定幅の不透光部１２Ｂからなる輪郭部１２Ｅを表面部１２Ｃから露出させることによって、表示部１２Ｄの透光部１２Ａと輪郭部１２Ｅとなる不透光部１２Ｂが二色成形により形成されているため、様々な使用状態においても、表示部１２Ｄの形状が維持されて、表示を判別し易く視認性が良好で、且つ操作体の製作が容易で安価なスイッチ装置を実現することができるものである。
【００３９】
また、以上の説明では、表示部１２Ｄの外縁全体に輪郭部１２Ｅを設けたものとして説明したが、図３の操作体の平面図に示すように、表示部１２Ｄの部分的な外縁に輪郭部１２Ｅを設けて、表示が認識できるようにしたものとしても良い。
【００４０】
さらに、以上の説明では、スイッチ接点を、上部を押圧操作することにより電気的接離が行われるプッシュスイッチとして説明したが、揺動操作により電気的接離が行われるシーソスイッチや、回転操作させる回転スイッチのものでも本発明の実施は可能である。
【００４１】
なお、以上の説明では、操作体１２の内側下方に発光素子５を備えたものとして説明したが、発光素子を備えていないスイッチ装置においても、日中等の周囲の明るい場合、表示部の表示の視認性が確保できるため、本発明の実施は可能である。
【産業上の利用可能性】
【００４２】
本発明によるスイッチ装置は、日中の周囲が明るい場合に、表示を視認し易く、様々な使用状態においても、表示部自体の形状が維持され、表示を判別し易く表示の視認性が良好なものを得ることができ、自動車の音響や空調機器等の操作に用いられるスイッチ装置等に有用である。
【符号の説明】
【００４３】
１  ケース
１Ａ  中空筒部
３  配線基板
４  プッシュスイッチ
５  発光素子
１２  操作体
１２Ａ  透光部
１２Ｂ  不透光部
１２Ｃ  表面部
１２Ｄ  表示部
１２Ｅ  輪郭部
１２Ｆ  押圧部
【図１】
2012226851.tif 000003
【図２】
2012226851.tif 000004
【図３】
2012226851.tif 000005
【図４】
2012226851.tif 000006
【図５】
2012226851.tif 000007